(57)【要約】      （修正有）【課題】花卉を購入した経験の少ない者に対して、花卉に興味を持ってもらい、気軽に花卉を購入するように促すことのできる花卉販売方法を提供する。【解決手段】花卉購入希望者に、携帯端末によりコードを読み込ませることによって、花卉の購入用画面に誘導して、花卉を販売する花卉販売方法は、花卉購入希望者が携帯端末によりコードを読み込んだ際には、その展示花卉と同種の花卉である同種花卉の購入用画面に誘導されるようになっており、同種花卉の購入が行われた際には、管理サーバが、花卉販売者に対して購入者に同種花卉を発送するよう指示するとともに、その購入者をその同種花卉の購入用画面に誘導したコードに含まれる店舗ＩＤによって特定される店舗のポイントを加算する処理を行い、報酬支払時期が到来したら、花卉販売者が、それぞれの店舗に対して、管理サーバが表示したポイントに応じた報酬を支払う。【選択図】図２
2020160572.tif 000002
【特許請求の範囲】
【請求項１】
花卉購入希望者に、携帯端末によりコードを読み込ませることによって、花卉の購入用画面に誘導して、花卉を販売する花卉販売方法であって、
該コードが、異業種の店舗の中に展示されている展示花卉に付随して設置されており、かつ、展示花卉が展示されている店舗を識別する店舗ＩＤを含んだものであり、花卉購入希望者が携帯端末によりコードを読み込んだ際には、その展示花卉と同種の花卉である同種花卉の購入用画面に誘導されるようになっており、同種花卉の購入が行われた際には、管理サーバが、花卉販売者に対して購入者に該同種花卉を発送するよう指示するとともに、その購入者をその同種花卉の購入用画面に誘導したコードに含まれる店舗ＩＤによって特定される店舗のポイントを加算する処理を行い、報酬支払時期が到来したら、花卉販売者が、それぞれの店舗に対して、該管理サーバが表示したポイントに応じた報酬を支払うことを特徴とする花卉販売方法。
【請求項２】
前記同種花卉の購入の際に、購入者が、会員登録を行うことができるようになっており、会員登録が行われた際に、前記管理サーバが、会員を識別する会員識別情報と、その会員が同種花卉を購入した際に読み込んだコードが設置されている店舗の店舗ＩＤとを関連付けて保存し、その会員により該同種花卉とは別の花卉の購入が行われた際にも、管理サーバが、会員識別情報と関連付けられている店舗ＩＤにより特定される店舗のポイントを加算する処理を行う、請求項１に記載の花卉販売方法。
【請求項３】
前記展示花卉が蘭である請求項１又は請求項２に記載の花卉販売方法。
【請求項４】
前記異業種の店舗が飲食店である請求項１ないし請求項３の何れかの請求項に記載の花卉販売方法。
【請求項５】
花卉購入希望者に、携帯端末によりコードを読み込ませることによって、花卉の購入用画面に誘導して、花卉を販売する花卉販売方法に使用するためのプログラムであって、該コードが、異業種の店舗の中に展示されている展示花卉に付随して設置されており、かつ、展示花卉が展示されている店舗を識別する店舗ＩＤを含んだものであり、
該プログラムが、コンピュータを、花卉購入希望者が携帯端末によりコードを読み込んだ際に、その展示花卉と同種の花卉である同種花卉の購入用画面に誘導する購入用画面表示手段、同種花卉の購入が行われた際に、花卉販売者に対して購入者に該同種花卉を発送するよう指示する購入受付・指示手段、その購入者をその同種花卉の購入用画面に誘導したコードに含まれる店舗ＩＤによって特定される店舗のポイントを加算する処理を行うポイント加算処理手段、及び、それぞれの店舗のポイントを表示するポイント表示手段として機能させるためのものであることを特徴とするプログラム。
【請求項６】
花卉購入希望者に、携帯端末によりコードを読み込ませることによって、花卉の購入用画面に誘導して、花卉を販売する花卉販売方法に使用するための管理サーバであって、該コードが、異業種の店舗の中に展示されている展示花卉に付随して設置されており、かつ、展示花卉が展示されている店舗を識別する店舗ＩＤを含んだものであり、
該管理サーバが、花卉購入希望者が携帯端末によりコードを読み込んだ際に、その展示花卉と同種の花卉である同種花卉の購入用画面に誘導する購入用画面表示部、同種花卉の購入が行われた際に、花卉販売者に対して購入者に該同種花卉を発送するよう指示する購入受付・指示部、その購入者をその同種花卉の購入用画面に誘導したコードに含まれる店舗ＩＤによって特定される店舗のポイントを加算する処理を行うポイント加算処理部、及び、それぞれの店舗のポイントを表示するポイント表示部を有することを特徴とする管理サーバ。
【発明の詳細な説明】
【技術分野】
【０００１】
本発明は、花卉販売方法に関し、更に詳しくは、異業種の店舗を利用した花卉販売方法に関する。また、本発明は、かかる花卉販売方法に使用するためのプログラムや管理サーバに関する。
【背景技術】
【０００２】
花卉は、人の生活に潤いを与え、人をリラックスさせる効果を持つ。花卉産業や花卉文化の振興を図るため、２０１４年には、花きの振興に関する法律（花き振興法）が成立した。
また、花卉購入費用の一部が、花き振興法にも記載されている「花育」のドネーションになる為、子供達が花卉に触れ合う機会も提供することが可能である。
【０００３】
花卉を、一般家庭やオフィス等に普及させるために、様々な花卉販売方法が提案されている。以下に一例を挙げる。
【０００４】
特許文献１には、花の鮮度を保つために、全国各地の花屋が管理センタを組織し、注文を受け付けた加盟店（受付店）が、配達先の付近の加盟店（配達店）を探し、配達店が配達を行う花通信配達システムが記載されている。
【０００５】
特許文献２には、購入者が通信ネットワークを通じて購入する花卉の現物を十分に確認し、納得して購入できる花卉販売システムが記載されている。植物は、各個体により茎の形状や花の付き具合、葉の茂り具合等の性状が異なるところ、特許文献２に記載の発明によれば、ネット販売においても、購入者は、これらの性状を確認してから購入することができる。
【０００６】
特許文献３には、ギフト用の花（生花）の商品カタログを容易に作成できるようにすることによって、花の販売を促進し得る花店用販売促進装置が記載されている。
【０００７】
特許文献４には、生産者側と販売者（購入者）側との商取引をマッチングする生花等の取引マッチング方法が記載されている。特許文献４に記載の発明において、取引マッチング方法は、インターネット等の通信回線を通じて行なわれる。
【０００８】
特許文献５には、店頭販売業者が自己の売上げ低下を招かずに、製造・卸売業者から委託された大量の観賞用植物の販売を可能ならしめる観賞用植物の卸売り及び小売り販売システムが記載されている。
【０００９】
特許文献６には、生花等生産者、仲介者、販売者、システム管理者及び消費者との間で情報共有し、効率的な生産、流通、販売、及び消費を実現するシステムが記載されている。
【００１０】
しかしながら、これらの花卉販売方法は、花卉の販売において、花卉の鮮度を保つ；商品サンプルと性状の近い花卉を購入できるようにする；販売者と購入者との間の手続の負担を軽減する；等の手段を用いて、販売量の増大を図るものである。
すなわち、これらの花卉販売方法は、既に花卉に興味を持ち、ある程度花卉を購入した経験のあるいわゆるヘビーユーザーを対象とした販売促進方法である。
【００１１】
花卉の更なる普及のため、花卉を購入した経験の少ない者に対しても、花卉の販売を促進することのできる方法の開発が望まれている。
【先行技術文献】
【特許文献】
【００１２】
【特許文献１】特開２００４−３１０５４６号公報
【特許文献２】特開２０１２−０４８４５８号公報
【特許文献３】特開２００８−０９７１２９号公報
【特許文献４】特開２０１６−００４５１２号公報
【特許文献５】特開２０１１−０９０５３３号公報
【特許文献６】特開２０１２−０３８１８２号公報
【発明の概要】
【発明が解決しようとする課題】
【００１３】
本発明は上記背景技術に鑑みてなされたものであり、その課題は、花卉を購入した経験の少ない者に対しても、花卉に興味を持ってもらい、気軽に花卉を購入するように促すことのできる花卉販売方法を提供することにあり、また、かかる花卉販売方法に使用するためのプログラムや管理サーバを提供することにある。
【課題を解決するための手段】
【００１４】
本発明者は、上記の課題を解決すべく鋭意検討を重ねた結果、異業種の店舗（花卉の販売を行わない店舗）の中に設置した花卉を利用することにより、花卉を購入した経験の少ない者（すなわち、花卉の販売を行う店舗に行った経験の少ない者）に対して、花卉購入の動機を与えられることを見出して、本発明を完成するに至った。
【００１５】
すなわち、本発明は、花卉購入希望者に、携帯端末によりコードを読み込ませることによって、花卉の購入用画面に誘導して、花卉を販売する花卉販売方法であって、
該コードが、異業種の店舗の中に展示されている展示花卉に付随して設置されており、かつ、展示花卉が展示されている店舗を識別する店舗ＩＤを含んだものであり、花卉購入希望者が携帯端末によりコードを読み込んだ際には、その展示花卉と同種の花卉である同種花卉の購入用画面に誘導されるようになっており、同種花卉の購入が行われた際には、管理サーバが、花卉販売者に対して購入者に該同種花卉を発送するよう指示するとともに、その購入者をその同種花卉の購入用画面に誘導したコードに含まれる店舗ＩＤによって特定される店舗のポイントを加算する処理を行い、報酬支払時期が到来したら、花卉販売者が、それぞれの店舗に対して、該管理サーバが表示したポイントに応じた報酬を支払うことを特徴とする花卉販売方法を提供するものである。
【００１６】
また、本発明は、前記同種花卉の購入の際に、購入者が、会員登録を行うことができるようになっており、会員登録が行われた際に、前記管理サーバが、会員を識別する会員識別情報と、その会員が同種花卉を購入した際に読み込んだコードが設置されている店舗の店舗ＩＤとを関連付けて保存し、その会員により該同種花卉とは別の花卉の購入が行われた際にも、管理サーバが、会員識別情報と関連付けられている店舗ＩＤにより特定される店舗のポイントを加算する処理を行う、前記の花卉販売方法を提供するものである。
【００１７】
また、本発明は、携帯端末によりコードを読み込ませることによって、花卉の購入用画面に誘導して、花卉を販売する花卉販売方法に使用するためのプログラムであって、該コードが、異業種の店舗の中に展示されている展示花卉に付随して設置されており、かつ、展示花卉が展示されている店舗を識別する店舗ＩＤを含んだものであり、
該プログラムが、コンピュータを、花卉購入希望者が携帯端末によりコードを読み込んだ際に、その展示花卉と同種の花卉である同種花卉の購入用画面に誘導する購入用画面表示手段、同種花卉の購入が行われた際に、花卉販売者に対して購入者に該同種花卉を発送するよう指示する購入受付・指示手段、その購入者をその同種花卉の購入用画面に誘導したコードに含まれる店舗ＩＤによって特定される店舗のポイントを加算する処理を行うポイント加算処理手段、及び、それぞれの店舗のポイントを表示するポイント表示手段として機能させるためのものであることを特徴とするプログラムを提供するものである。
【００１８】
また、本発明は、花卉購入希望者に、携帯端末によりコードを読み込ませることによって、花卉の購入用画面に誘導して、花卉を販売する花卉販売方法に使用するための管理サーバであって、該コードが、異業種の店舗の中に展示されている展示花卉に付随して設置されており、かつ、展示花卉が展示されている店舗を識別する店舗ＩＤを含んだものであり、
該管理サーバが、花卉購入希望者が携帯端末によりコードを読み込んだ際に、その展示花卉と同種の花卉である同種花卉の購入用画面に誘導する購入用画面表示部、同種花卉の購入が行われた際に、花卉販売者に対して購入者に該同種花卉を発送するよう指示する購入受付・指示部、その購入者をその同種花卉の購入用画面に誘導したコードに含まれる店舗ＩＤによって特定される店舗のポイントを加算する処理を行うポイント加算処理部、及び、それぞれの店舗のポイントを表示するポイント表示部を有することを特徴とする管理サーバを提供するものである。
【発明の効果】
【００１９】
本発明によれば、花卉を購入した経験の少ない者に、実物の花卉を異業種の店舗で鑑賞して貰う事により花卉に興味を持ってもらい、気軽に花卉を購入するように促すことができるため、花卉が広く普及し、花卉販売者が花卉販売による利益を得ることができる。
【００２０】
花卉は、人の生活に潤いを与え、人をリラックスさせる効果を持つものであるので、幅広い業種において店舗等に花卉を設置（展示）する需要は高い。
本発明によれば、花卉販売者が異業種の店舗に展示用の花卉を供給する強い動機を与える。花卉販売者は、例えば、展示花卉の設置を無償としてでも、異業種の店舗に花卉を供給し、該異業種の店舗に来店した者の中から花卉の購入者を獲得したいと考える場合もある。
また、異業種の店舗の側も、店舗に花卉の設置を望む場合が多い。このため、本発明は、花卉販売者のみならず、異業種の店舗の側にとっても、大きなメリットを生じるといえる。
【００２１】
本発明では、異業種の店舗において、展示されている花卉を見た者が、その花卉と同種の花卉を購入したいと思った際に、携帯端末による簡便な操作によって、花卉の購入をすることができる。本発明では、花卉を購入した経験の少ない者でも、気に入った花卉を気軽に購入することができ、花卉の普及が促進される。
【図面の簡単な説明】
【００２２】
【図１】本発明の概略構成図である。
【図２】本発明における管理サーバの詳細構成図である。
【発明を実施するための形態】
【００２３】
以下、本発明について説明するが、本発明は以下の実施の形態に限定されるものではなく、任意に変形して実施することができる。
【００２４】
本発明の概略構成図を図１に、本発明における管理サーバ１０の詳細構成図を図２に示す。
【００２５】
本発明は、異業種の店舗（Ａ、Ｂ、Ｃ、・・・）の中に、展示用の展示花卉（ａ１、ａ２、ａ３、ｂ１、ｃ１、ｃ２、・・・）を設置し、該展示花卉を見た者に対して花卉を販売する花卉販売方法に関する。言い換えれば、本発明は、異業種の店舗の中に設置された展示花卉を宣伝媒体ないしサンプルとして花卉の販売を行うものである。
本発明では、花卉購入希望者は、花卉販売店に出向いて花卉を購入するのではなく、客として来店した異業種の店舗において、展示花卉に付随して設置されたコードを携帯端末で読み込み、通信ネットワークを通じて花卉を購入する。
本発明では、通常、多数の異業種の店舗に、展示花卉を設置し、それを見た者によって展示花卉と同種の花卉の購入が行われた場合に、その展示花卉が設置されている異業種の店舗に対して、花卉販売者２０が、報酬（マージン）を支払う。
【００２６】
本発明においては、花卉購入希望者（異業種の店舗に来店した客）に、携帯端末によりコードを読み込ませることによって、花卉の購入用画面に誘導して、花卉を販売する。
【００２７】
「携帯端末」としては、スマートフォン、タブレット等が例示できる。
「コード」は、携帯端末によって読み込むことのできるものであれば特に限定は無く、ＱＲコード（登録商標）、データマトリクス（登録商標）、ベリコード（登録商標）、ＳＰコード（登録商標）、及び、ＣＰコード（登録商標）等の二次元コード；一次元のバーコード；カラーコード等が例示できる。このうち、広く普及しているＱＲコード（登録商標）が最適である。
花卉購入希望者が、携帯端末によってコードを読み込むことにより、携帯端末に、花卉の購入用画面が表示され、簡単な手続で花卉を購入することができる。
【００２８】
本発明においては、花卉購入希望者を、花卉の購入用画面に誘導するためのコードは、異業種の店舗の中に展示されている展示花卉に付随して設置されている。
「異業種の店舗」とは、花卉の販売を行わない店舗である。花卉は、大衆的なイメージが非常によく、業種に関係なく受け入れられやすいため、「異業種の店舗」の業種に特に限定は無い。異業種の店舗の例としては、飲食店、公共交通機関の待合室、リゾート施設、空港、ビジネスホテル、病院の待合室、図書館等が挙げられる。これらの店舗の中においては、「待ち時間」（例えば、飲食店であれば、客が料理を注文してから料理が運ばれてくるまでの時間）が生じることが多く、その間に、客は展示花卉を眺める機会が多く、展示花卉に興味を持つことがある。また、花卉の持つリラックス効果等のため、これらの店舗には、花卉を設置する需要が大きい。
【００２９】
「コードが展示花卉に付随して設置されている」とは、コードが、展示花卉との関連がわかるような状態で設置されていることをいう。例えば、展示花卉の鉢に印刷されたコードを貼付する；展示花卉が設置された場所の近くの壁に印刷されたコードを貼付する；展示花卉の鉢に刺した園芸用ラベルに印刷されたコードを貼付する；といった方法が挙げられる。
【００３０】
コードは、展示花卉が展示されている店舗を識別する店舗ＩＤを含んでいる。例えば、店舗Ａに展示されている展示花卉ａ１に付随して設置されているコードには、「店舗Ａに設置されている」という情報が含まれている。すなわち、通常、展示花卉を設置する異業種の店舗は、複数存在するところ、花卉購入希望者が携帯端末によりコードを読み込んだ際に、コードがどの店舗で読み込まれたものであるのか判別可能となっている。
これによって、展示花卉を設置した店舗毎の花卉の売り上げに対する貢献の度合いがわかり、花卉販売者２０は、該貢献の度合いに応じた報酬を、それぞれの異業種の店舗に支払う。
【００３１】
展示花卉は、主に花卉販売者２０が販売することを望む花卉であり、その種類に特に限定は無い。
展示花卉は、鉢花であっても切花であってもよいが、メンテナンスの労力等の点から、鉢花であることが好ましい。
【００３２】
また、蘭（特に胡蝶蘭）は、以下に示す理由から、本発明における宣伝媒体ないしサンプルとしての展示花卉として適している。
【００３３】
蘭は、他の花卉に比べて水やりの頻度が少なくて済み、概ね数週間〜数か月に一度でよい。異業種の店舗は、展示花卉を設置するのみであり、花卉の販売を目的としないので、展示花卉のメンテナンスの労力は極力少なくしたいと考えるのが一般的である。
【００３４】
蘭は、植え込み材として、土ではなくミズゴケバークチップ（松の木の皮）を使用する場合が多く、虫や菌の発生が少なく、また、花粉の飛散もほぼ無い。
本発明では、飲食店や公共交通機関の待合室等の異業種の店舗に展示花卉を設置する。これらの店舗は、衛生性が要求され、また、多数の人が利用するため、上記のような蘭の性質は、これらの店舗に設置するのに適している。
【００３５】
異業種の店舗における展示花卉の設置場所に特に限定は無いが、客の目につきやすく、客がコードの読み込みを行いやすいような場所に設置するのが望ましい。また、展示花卉は、１つの店舗に複数設置してもよく、この場合、複数の展示花卉は、同じ種類のものであってもよいし、異なる種類のものであってもよい。
例えば、飲食店であれば、各テーブル席に１つずつ展示花卉を設置する、といった設置方法が考えられる。
【００３６】
展示花卉は、花卉販売者２０が、それぞれの異業種の店舗に展示用として供給するものであるが、展示花卉の提供は、無償としてもよいし、有償としてもよい。
無償とすることにより、本発明の花卉販売方法に参加する異業種の店舗を増やしやすいことから、花卉の売り上げ増加につながり、花卉販売者にとってメリットとなる。
一方、花卉の持つリラックス効果等のため、異業種の店舗の側にとっても、展示花卉を設置する需要が存在し、展示花卉の提供を有償としても本発明の花卉販売方法に参加する動機があるといえる。
【００３７】
コードは、展示花卉に関する情報を含んでいる。例えば、店舗Ａに展示されている展示花卉ａ１に付随して設置されているコードには、展示花卉ａ１の品種、大きさ、色等に関する情報が含まれている。
花卉購入希望者が携帯端末によりコードを読み込んだ際には、管理サーバ１０の購入用画面表示部１２が、その展示花卉と同種の花卉である同種花卉の購入用画面に花卉購入希望者を誘導する（すなわち、同種花卉の購入用画面を最初に表示する）。例えば、花卉購入希望者は、店舗Ａに展示されている展示花卉ａ１に付随して設置されているコードを読み込んだ際には、展示花卉ａ１と同じ品種、大きさ、色等の特徴を持つ同種花卉の購入用画面に誘導される。
これにより、花卉購入希望者は、異業種の店舗において見た花卉に興味を持った場合に、同種の花卉を簡便な操作で購入することができる。
【００３８】
花卉購入希望者が、購入用画面を通じて同種花卉を購入するための手続の方法は、公知の方法を適宜使用することができる。例えば、花卉購入希望者は、同種花卉を発送してもらうために、住所・氏名等の情報を入力する。
【００３９】
花卉購入希望者により、同種花卉の購入が行われた際に、管理サーバ１０の購入受付・指示部１３は、花卉販売者２０に対して購入者に該同種花卉を発送するよう指示する。花卉販売者２０は、購入者が指定した住所に、同種花卉を発送する。
花卉販売者２０は、一般に花卉を販売する花卉店であるところ、直接花卉店から発送するようにしてもよいし、生産農場等から直送するようにしてもよい。
【００４０】
管理サーバ１０の店舗情報保存部１１には、展示花卉を設置しているそれぞれ異業種の店舗に関する情報（店舗名・所在地・代表者名等）が、店舗を識別する店舗ＩＤとともに保存されている。
同種花卉の購入が行われた際に、購入受付・指示部１３は、店舗情報保存部１１を参照し、購入者が携帯端末により読み込んだコードに含まれる店舗ＩＤを、店舗情報保存部１１に保存された店舗ＩＤと照合し、どの店舗でコードの読み込みが行われたのかをポイント加算処理部１４に通知する。管理サーバ１０のポイント加算処理部１４は、購入者をその同種花卉の購入用画面に誘導したコードに含まれる店舗ＩＤによって特定される店舗（購入者がコードの読み込みをした店舗）のポイントを加算する処理を行う。
例えば、店舗Ａに設置されている展示花卉ａ１に付随して設置されているコードを読み込んだ客Ｘが、展示花卉ａ１の同種花卉を購入した場合、店舗Ａのポイントを加算する処理が行われる。
【００４１】
展示花卉に付随して設置されているコードを通じて花卉の購入が行われた場合、その展示花卉が設置されている異業種の店舗の貢献によって、花卉が販売されたと考えられる。花卉販売者２０は、異業種の店舗に対して、報酬を支払う。報酬の額は貢献の度合いに依存し、貢献の度合いを数値化したものが本発明における「ポイント」である。
【００４２】
ポイントの付与の仕方に特に限定は無いが、例えば、「花卉（同種花卉）の販売価格の１０％」、「花卉（同種花卉）１鉢につき５００円」、といった付与の仕方が考えられる。
【００４３】
管理サーバ１０のポイント表示部１５は、ポイント加算処理部１４によって計算されたそれぞれの店舗のポイントを参照し、表示する。報酬支払時期が到来したら、花卉販売者２０は、管理サーバ１０のポイント表示部１５が表示したポイントを確認し、ポイントに応じた報酬を、それぞれの店舗に対して支払う。
【００４４】
報酬の支払いタイミングについて特に限定は無く、例えば、月末毎に支払う；ポイントが一定に達した時点で支払う；といったことが考えられる。
報酬の支払い形式についても特に限定は無く、金銭で支払ってもよいし、景品等の形で支払ってもよい。
【００４５】
本発明においては、異業種の店舗において展示花卉に興味を持った者が、展示花卉と同種の花卉である同種花卉を簡便な操作で購入することができる。花卉を購入した経験の少ない者が、同種花卉を購入したことをきっかけに、花卉自体に対して興味を持つことも多い。
【００４６】
本発明においては、同種花卉の購入の際に、購入者が、会員登録を行うことができるようになっていてもよい。このようにすることによって、購入者が、同種花卉を購入した後に、通信ネットワークを通じて別の花卉（該同種花卉とは無関係の花卉であってもよい）を購入する際の労力が軽減される。
会員登録の際に、会員登録する者（すなわち、同種花卉の購入者）は、住所・氏名等の、自らを特定することのできる会員識別情報を入力し、管理サーバは、該会員登録する者に対して、ログインＩＤやパスワード等を発行する。
【００４７】
同種花卉の購入者が会員登録を行い、同種花卉を購入した後に、別の花卉を購入した場合も、該購入者は、異業種の店舗で展示花卉を見たことにより、花卉自体に対して興味を持ったと考えられる。このため、該購入者が別の機会に別の花卉を購入した場合にも、該購入者が展示花卉を見た（該購入者が会員登録するきっかけになった）異業種の店舗による貢献が認められる。
【００４８】
同種花卉の購入の際に、購入者が、会員登録を行うことができるようにした場合は、会員登録が行われた際に、管理サーバ１０の会員情報保存部１６は、店舗情報保存部１１を参照し、会員を識別する会員識別情報と、その会員が同種花卉の購入した際に読み込んだコードが設置されている店舗の店舗ＩＤとを関連付けて保存する。
会員登録が行われた以降に、その会員により該同種花卉とは別の花卉の購入が行われた際には、購入受付・指示部１３は、会員情報保存部１６に保存された会員識別情報を参照し、ポイント加算処理部１４に、どの会員によって花卉の購入が行われたのかを通知する。会員識別情報は、店舗ＩＤと関連付けて保存されているので、管理サーバ１０のポイント加算処理部１４は、会員識別情報と関連付けられている店舗ＩＤにより特定される店舗のポイントを加算する処理を行う。
【００４９】
例えば、店舗Ａに来店した客Ｘが、店舗Ａに展示されている展示花卉ａ１に興味を持ち、展示花卉ａ１に付随して設置されているコードを読み込んで展示花卉ａ１と同種の同種花卉を購入し、その際に会員登録をした場合、客Ｘの会員識別情報（住所・氏名等）は、店舗Ａの店舗ＩＤと関連付けて保存される。
客Ｘが、後日、会員として展示花卉ａ１とは無関係の花卉ｐを購入した場合にも、店舗Ａのポイントを加算する処理が行われる。すなわち、客Ｘ（会員Ｘ）による花卉ｐの購入は、客Ｘによる店舗Ａの来店とは関係ないものの、客Ｘが花卉自体に興味を持ったことは、店舗Ａに展示されている展示花卉ａ１を見たことに起因しており、店舗Ａによる貢献が認められると考えられるので、店舗Ａのポイントが加算される。
このため、異業種の店舗が、展示花卉を設置してみようとする動機付けとなる。
【００５０】
本発明は、前記した花卉販売方法に使用するためのプログラムにも関する。
本発明のプログラムは、コンピュータを、花卉購入希望者が携帯端末によりコードを読み込んだ際に、その展示花卉と同種の花卉である同種花卉の購入用画面に誘導する購入用画面表示手段、同種花卉の購入が行われた際に、花卉販売者に対して購入者に該同種花卉を発送するよう指示する購入受付・指示手段、その購入者をその同種花卉の購入用画面に誘導したコードに含まれる店舗ＩＤによって特定される店舗のポイントを加算する処理を行うポイント加算処理手段、及び、それぞれの店舗のポイントを表示するポイント表示手段として機能させるためのプログラムである。すなわち、本発明のプログラムは、コンピュータを、前記した管理サーバ１０として機能させるためのプログラムである。
【産業上の利用可能性】
【００５１】
本発明の花卉販売方法は、花卉を購入した経験の少ない者に、花卉に興味を持ってもらい、気軽に花卉を購入するように促すことができるため、飲食店や公共交通機関の待合室等を利用して、蘭等の花卉の販売の促進に広く利用されるものである。
【符号の説明】
【００５２】
１０：管理サーバ
１１：店舗情報保存部
１２：購入用画面表示部
１３：購入受付・指示部
１４：ポイント加算処理部
１５：ポイント表示部
１６：会員情報保存部
２０：花卉販売者
Ｘ：客（花卉購入希望者）
Ａ、Ｂ、Ｃ：異業種の店舗
ａ１、ａ２、ａ３、ｂ１、ｃ１、ｃ２：展示花卉
【図１】
2020160572.tif 000003
【図２】
2020160572.tif 000004